(57)【特許請求の範囲】
【請求項１】
可撓性の布地に着脱自在に設け、かつ枠体で形状を確保するシリコンジェルと、このシリコンジェルの前面に含滲したパック剤とで構成した健康器具であって、
前記シリコンジェルは、身体の適用部位における、凹凸形状の高さに応じた厚みを有し、かつこのシリコンジェルは、前記凹凸形状に応じて陥没して変形可能とするとともに、前記パック剤の効果を、前記身体の顔面、手、腕、頭部と、産後の腹部、術後の皮膚、又はこの身体の皮膚の美肌と、皮膚の張り回復、又は老化防止に対して、有効に達成可能とする健康器具において、
前記布地、又は前記シリコンジェルに、イオン発生素子粉末を混入するとともに、超音波発振素子と、ヒーターとを備えた構造とした健康器具。
【請求項２】
請求項１に記載の健康器具であって、
前記パック剤は、微粒子鉄粉と、クリーム、美容液、皮膚浸透性と酸化防止を付与できる水溶性珪素とで構成した美肌用、皮膚外用、又は老廃物除去用の鉄粉入り化粧品クリームとする構成とした健康器具。
【請求項３】
請求項１に記載の健康器具であって、
前記シリコンジェルを、布地に着脱自在とする構成とした健康器具。
【請求項４】
請求項１に記載の健康器具であって、
この健康器具にベルトを設け、このベルトを利用して、前記身体の顔面、手、腕、頭部と、産後の腹部、術後の皮膚、又は身体の皮膚に密着可能とする構成とした健康器具。
【発明の詳細な説明】
【技術分野】
【０００１】
本発明は、身体の顔面、手、腕、頭部と、産後の腹部、術後の皮膚、又は身体の皮膚に、圧着、かつ密着可能とする構成とした健康器具（健康器具類、美肌器具類、美顔器具類等）に関する。
【背景技術】
【０００２】
従来、美肌器とか、美顔器等を利用し、超音波振動エネルギーを皮膚に与える美容機器がある。この美容機器は、超音波振動を用い、高分子の油溶性や水溶性の成分を導入可能とし、美肌・美顔を図る構造である。又はイオン導入機器を利用し、薬効成分を効率よく皮膚内に吸収させる皮膚外用を主体とする薬用機器がある。この薬用機器は、通常の外用塗布では殆ど皮膚に吸収されない水溶性のビタミン類等をイオン化させて、電流を用いて皮膚に浸透させる構造である。
【０００３】
しかし、この従来の健康機器では、身体の顔面、手、腕、頭部と、産後の腹部、術後の皮膚、又は身体の皮膚（総称として、身体の部位とする）に、圧着、かつ密着可能とする構造でなく、そのケア効果、又はケア効能が半減されるものと考えられる。
【０００４】
前記課題を解決するための方法として、ジェルを利用して、この身体の部位に密着か、又は包囲して、この身体の部位に、超音波振動エネルギーや、イオン導入により、薬剤の皮膚内への浸透を意図する先行発明を説明する。
【０００５】
文献１の発明は、特開２００７−２０３０３７号公報に記載の構成であり、シリコン薄膜と、ジェル、並びにイオン導入手段を利用し、イオンを皮膚下に浸透した状態において、可視光を照射することで、シリコン薄膜から発生するマイナスイオンを照射して、身体の部位の細胞の活性化を図ることを特徴とする。この発明は、ジェルを利用する構造であるが、ジェルを身体の部位に塗布する構造であり、使用の度に、このジェルを廃棄することから、無駄であること、面倒であること、等の改良点がある。
【０００６】
また、文献２の発明は、ＷＯ２００８／０８４７６４号公報に記載の構成であり、前記文献１と略同じ構造であり、その効果も略同じと考えられる。
【０００７】
さらに、文献３の発明は、特開２００５−２４５５２１号公報に記載の構成であり、イオン導入期器、赤外線発生器、及び超音波振動器を備えた機器と、ジェルとを利用し、皮膚に刺激と、イオン効果、及び超音波効果を利用した浸透性とを確保することで、美肌効果と、化粧料機能の向上とを図ることを特徴とする。この発明は、ジェルを利用する構造であるが、身体の部位に密着して使用する機器でなく、イオン効果、及び超音波効果による浸透性を確保するには、問題を残すものと考えられる。
【０００８】
【特許文献１】特開２００７−２０３０３７号公報
【特許文献２】ＷＯ２００８／０８４７６４号公報
【特許文献３】特開２００５−２４５５２１号公報
【発明の概要】
【発明が解決しようとする課題】
【０００９】
前記文献（１）〜文献（３）の改良点として、本発明は、下記の構造と特徴を発揮できる身体の部位に、少なくとも、密着可能とする構成とした健康器具を提供する。
イ）  可撓性の布地と、パック剤（溶液）を添加したシリコンジェル（以下、ジェルとする）を利用し、かつジェルの身体の部位への、圧着、かつ密着する構成と、超音波発生素子と、イオン発生素子粉末と、ヒーターを備える健康器具とする構成により、このパック剤を、バリヤ（層）の中に浸透することで、パック剤のケア効果を発揮し、毛細血管の再生と、活性化等を達成する。また、パック剤の保存性の確保を図る。
ロ）  前記浸透性を利用し、皮膚の新陳代謝と、血流の活性化、並びに皮膚の疲労回復を図り、美肌・抗酸化効果と、健康促進、老化防止、並びに菌排除等を図る。
ハ）  水溶性珪素を、パック剤に添加することで、このパック剤の酸化防止（変質、変色防止）を図り、長期の使用と、必要により、パウチ包装をなくし、低コスト化と、チューブ充填方式、又は容器（開閉式）への使用を図る。
ニ）  布地の可撓性と、ジェルの特性を利用し、身体の部位への密着性を確保することで、前記イ）と、ロ）の効果を達成する。
ホ）  また、布地にジェルを、着脱自在とすることで、このジェルの再利用と、清潔性の確保と、汎用性の向上を図る。
へ）  健康器具にベルトを設けることで、この健康器具を、身体の部位に圧着、かつ密着できることで、前記イ）と、ロ）と、ニ）の効果を達成する。
ト）  布地の赤色は、交感神経に作用し、臓器の働きを良くすることの効果があることに鑑み、各部位の皮膚に圧着することで、健康維持を図る。
【課題を解決するための手段】
【００１０】
請求項１の発明は、イ）と、ロ）と、ニ）を達成することを意図する。
【００１１】
請求項１は、可撓性の布地に着脱自在に設け、かつ枠体で形状を確保するジェルと、このジェルの前面に含滲したパック剤とで構成した健康器具であって、
前記シリコンジェルは、身体の適用部位における、凹凸形状の高さに応じた厚みを有し、かつこのシリコンジェルは、前記凹凸形状に応じて陥没して変形可能とするとともに、前記パック剤の効果を、前記身体の顔面、手、腕、頭部と、産後の腹部、術後の皮膚、又はこの身体の皮膚の美肌と、皮膚の張り回復、又は老化防止に対して、有効に達成可能とする健康器具において、
前記布地、又は前記シリコンジェルに、イオン発生素子粉末を混入するとともに、超音波発振素子と、ヒーターとを備えた構造とした健康器具である。
【００１２】
請求項２の発明は、ハ）を達成することを意図する。
【００１３】
請求項２は、請求項１に記載の健康器具であって、
前記パック剤は、微粒子鉄粉と、クリーム、美容液、皮膚浸透性と酸化防止を付与できる水溶性珪素とで構成した美肌用、皮膚外用、又は老廃物除去用の鉄粉入り化粧品クリームとする構成とした健康器具である。
【００１４】
請求項３の発明は、ホ）を達成することを意図する。
【００１５】
請求項３は、請求項１に記載の健康器具であって、
前記ジェルを、布地に着脱自在とする構成とした健康器具である。
【００１６】
請求項４の発明は、へ）を達成することを意図する。
【００１７】
請求項４は、請求項１に記載の健康器具であって、
この健康器具にベルトを設け、このベルトを利用して、前記身体の顔面、手、腕、頭部と、産後の腹部、術後の皮膚、又は身体の皮膚に密着可能とする構成とした健康器具である。
【発明の効果】
【００１８】
請求項１の発明は、可撓性の布地に着脱自在に設け、かつ枠体で形状を確保するジェルと、ジェルの前面に含滲したパック剤とで構成した健康器具であって、
シリコンジェルは、身体の適用部位における、凹凸形状の高さに応じた厚みを有し、かつこのシリコンジェルは、凹凸形状に応じて陥没して変形可能とするとともに、パック剤の効果を、身体の顔面、手、腕、頭部と、産後の腹部、術後の皮膚、又は身体の皮膚の美肌と、皮膚の張り回復、又は老化防止に対して、有効に達成可能とする健康器具において、
布地、又はシリコンジェルに、イオン発生素子粉末を混入するとともに、超音波発振素子と、ヒーターとを備えた構造とした健康器具である。
【００１９】
これにより、請求項１は、下記イ）と、ロ）と、ニ）を達成できる特徴がある。
イ）  可撓性の布地と、パック剤（溶液）を添加したジェルを利用し、かつジェルの身体の部位への、圧着、かつ密着する構成と、超音波発生素子と、イオン発生素子粉末と、ヒーターを備える健康器具とする構成により、このパック剤を、バリヤ（層）の中に浸透することで、パック剤のケア効果を発揮し、毛細血管の再生と、活性化等を達成する。また、パック剤の保存性の確保ができる。
ロ）  前記浸透性を利用し、皮膚の新陳代謝と、血流の活性化、並びに皮膚の疲労回復を図り、美肌・抗酸化効果と、健康促進、老化防止、並びに菌排除等が図れる。
ニ）  布地の可撓性と、ジェルの特性を利用し、身体の部位への密着性を確保することで、前記イ）と、ロ）の効果を達成できる。
【００２０】
請求項２の発明は、請求項１に記載の健康器具であって、
パック剤は、微粒子鉄粉と、クリーム、美容液、皮膚浸透性と酸化防止を付与できる水溶性珪素とで構成した美肌用、皮膚外用、又は老廃物除去用の鉄粉入り化粧品クリームとする構成とした健康器具である。
【００２１】
これにより、請求項２は、請求項１のイ）と、ロ）と、ニ）に加えて、下記のハ）を達成できる特徴がある。
ハ）  水溶性珪素を、パック剤に添加することで、このパック剤の酸化防止（変質、変色防止）を図り、長期の使用と、必要により、パウチ包装をなくし、低コスト化と、チューブ充填方式、又は容器（開閉式）への使用が図れる。
【００２２】
請求項３の発明は、請求項１に記載の健康器具であって、
ジェルを、布地に着脱自在とする構成とした健康器具である。
【００２３】
これにより、請求項３は、請求項１のイ）と、ロ）と、ニ）に加えて、下記のホ）を達成できる特徴がある。
ホ）  また、布地にジェルを、着脱自在とすることで、このジェルの再利用と、清潔性の確保と、汎用性の向上が図れる。
【００２５】
請求項４の発明は、請求項１に記載の健康器具であって、
この健康器具にベルトを設け、このベルトを利用して、前記身体の顔面、手、腕、頭部と、産後の腹部、術後の皮膚、又は身体の皮膚に密着可能とする構成とした健康器具である。
【００２６】
これにより、請求項４は、請求項１のイ）と、ロ）と、ニ）に加えて、下記のへ）を達成できる特徴がある。
へ）  健康器具にベルトを設けることで、この健康器具を、身体の部位に圧着、かつ密着できることで、前記イ）と、ロ）と、ニ）の効果がある。
【図面の簡単な説明】
【００２７】
【図１】顔面の皮膚に、本発明の健康器具を使用する前の状態の側面模式図
【図２】顔面の皮膚に、本発明の健康器具を使用する状態の側面模式図
【図３−１】産後の腹部に、本発明の健康器具を使用する前の状態の側面模式図
【図３−２】産後の腹部に、本発明の健康器具を使用する前の状態の正面模式図
【図４】産後の腹部に、本発明の健康器具を使用する状態の側面模式図
【図５】頭部の皮膚に、本発明の健康器具を使用する前の状態の側面模式図
【図６】頭部の皮膚に、本発明の健康器具を使用する状態の側面模式図
【図７】本発明の健康器具の一部欠截の正面模式図
【図８】本発明の健康器具の断面模式図
【図９】本発明の健康器具の使用結果であって、皮膚組織と、毛細血管との関係を示した拡大模式図
【発明を実施するための形態】
【００２８】
１は可撓性の布地で、この布地１の周辺には、縁取り２を設ける。この布地１には、超音波発振素子３と、ヒーター４、又は冷媒５を、それぞれ薄膜状にして全体に設ける。そして、このヒーター４と冷媒５は、図示しない、スィッチ操作で、連続的な温熱（温感）治療（処理）、又は連続的な冷感治療を選択する方法と、図示しない、切換手段、又はタイマーを利用して、暖冷却を交互にしての温冷感治療を図る構造とする。図中６は電源で、この電源６とコードを介して、超音波発振素子３と、ヒーター４等に電力を供給する。尚、冷媒供給手段は図示しない。この電源６は、家庭用のコンセント、バッテリ、電池等とする。尚、後述するジェル（シリコンジェル）内に、イオン発生素子粉末７を混入し、前記電源６からの電力により、イオンを発生し、このパック剤のイオン化を促進し、パック剤の効果を十分に発揮する。また、ヒーター４は、安全性と安心性等を考慮して、シリコンヒータか、炭素ヒーターを、前述の如く、布地１か、又は図示しないが、ジェルの全体に入れることが望ましい。また、図示しないが、イオン発生素子粉末７（イオン発生素子）を、布地１に設けることも可能である。また、この布地１を赤色とすることで、色彩による効果、例えば、交感神経に作用し、臓器の働きを良くすることが考えられる。
【００２９】
そして、布地１には、着脱自在に設けたジェル８が、肉厚形状（例えば、３１ｃｍから６０ｃｍ程度）で設けられている。但し、必要により、膜形状（例えば、１１ｃｍから３０ｃｍ程度）、或いは薄膜形状（例えば、５ｃｍから１０ｃｍ程度）もあり得る。この肉厚形状は、例えば、身体Ｈ（人）の皮膚Ｈｃで、凹凸がある、顔面Ｈ１用として、陥没する使用に最適である。また、膜形状は、例えば、手、腕Ｈ３、頭部Ｈ４と、産後の腹部Ｈ２、術後の皮膚Ｈｃ、又は腕Ｈ３等の如く、凹凸が少ない箇所に最適である。さらに、薄膜形状は、例えば、フラットな、例えば、手、手の甲、足裏、臀部、又は足のふくろはぎ等に最適である。
【００３０】
このジェル８は、必要により、枠体８００で形状を確保するが、ジェル８の厚みに合せて、枠体８００の高さの変更と、このジェル８を枠体８００内に留置く手段を設ける。この手段として、枠体８００の内面の全体で、かつ適所の高さ位置に可撓性のメッシュを設けるか、凹凸、必要により接着剤、接着テープ等を利用する。これらの方法は、何れも、ジョル８を簡単に着脱できること、洗浄、及び／又は、清掃して再利用できること、等の構造が望ましい。この再利用は、業者が採用する場合、又は数人が共用する場合等に有利である。また、パック剤１１を変更する場合には、薬液の取替え、及び／又は、洗浄等の対応に、最適であり、使い回しによる利便性がある。そして、このジェル８内に、前記イオン発生素子粉末７を混入することが望ましい。尚、枠体８００と縁取り２は止め具９を利用して着脱する。
【００３１】
図中１０はベルトで、このベルト１０を、縁取り２か、枠体８００に取付け、身体Ｈの各所に固定する使用例では必要とする。このベルト１０方式は、簡易形、汎用形、低コスト方式等に利用する。しかし、身体Ｈの各所に、押圧形式とか圧着形式等の他の使用例では、このベルト１０を必要としない。
【００３２】
以下、使用の状態を説明する。
【００３３】
図１と図２の第一使用例では、図１に示した顔面Ｈ１の皮膚Ｈｃに、本発明の健康器具を使用する前の状態から、図２に示した顔面Ｈ１の皮膚Ｈｃに、健康器具を、ベルト１０を利用して、使用する状態では、顔面Ｈ１の額、鼻、口、又は顎の凹凸形状に対応して、ジェル８が変形しつつ、確実に包囲する構造である。この状態で、超音波発振素子３とヒーター４とにより、刺激と温熱効果、及び／又は、超音波発振素子３と冷媒５とにより、刺激と冷却効果を利用し、皮膚Ｈｃ、及び／又は、細胞等を刺激するとともに、パック剤１１（パック剤１１の混合材料は、前述の通りである）によるバリヤ（層）の中に、パック剤１１の効果を発揮し、毛細血管の再生と、活性化等を達成する。また、このパック剤１１に、水溶性珪素を添加することで、このパック剤１１の浸透性を確保できる。そして、この浸透性を利用し、皮膚Ｈｃの新陳代謝と、血流の活性化、並びに皮膚の疲労回復を図り、美肌・抗酸化効果と、健康促進、老化防止、並びに菌排除等を図る。一方、イオン発生素子５の働きで、このパック剤１１のイオン化を促進し、前記水溶性珪素の効果を増進できる特徴がある。
【００３４】
次に、図３と図４の第二使用例では、図３に示した産後の腹部Ｈ２の皮膚Ｈｃに、本発明の健康器具を使用する前の状態から、図４に示した産後の腹部Ｈ２の皮膚Ｈｃに、健康器具を、ベルト１０、又は押圧形式を利用して、使用する状態では、産後の腹部Ｈ２の皺、弛みの凹凸筋形状化、凹凸形状に対応して、ジェル８が変形しつつ、確実に包囲する構造である。その使用と効果は、前述の第一使用例に準ずる。
【００３５】
続いて、図５と図６の第三使用例では、図５に示した頭部Ｈ４の皮膚Ｈｃに、本発明の健康器具を使用する前の状態から、図６に示した頭部Ｈ４の皮膚Ｈｃに、健康器具を、ベルト１０、又は押圧形式を利用して、使用する状態では、頭部Ｈ４の皮膚Ｈｃ、又は細胞等刺激するとともに、頭部Ｈ４の形状に対応して、ジェル８が変形しつつ、確実に包囲する構造である。その使用と効果は、前述の第一使用例に準ずる。
【００３６】
そして、図９の如く、水溶性珪素の浸透性と、パック剤１１のイオン化の促進を介して、例えば、人体表面に極微量存在する電位を静電誘導とを利用して、毛穴ＨａバリヤＨｂ（角質層）を通過し、皮膚Ｈｃの中に入り込むと、このパック剤１１が、鉄粉入り化粧品クリームの例では、皮膚Ｈｃに対しての刺激と、死んだ角質細胞・毒性老廃物、汚れ（老廃物）・病原菌・悪性細菌・その他の菌類等の吸着（こけらを磁化して吸着する）に役立つことと、又は保水・保湿・酸素等の保持に有効性が考えられる。図中Ｈｄは毛細血管を示している。各例とも、この毛細血管Ｈｄの再生効果がある。
【符号の説明】
【００３７】
１          布地
２          縁取り
３          超音波発振素子
４          ヒーター
５          冷媒
６          電源
７          イオン発生素子粉末
８          ジェル
８００      枠体
９          止め具
１０        ベルト
１１        パック剤
Ｈ          身体
Ｈ１        顔面
Ｈ２        産後の腹部
Ｈ３        腕
Ｈ４        頭部
Ｈａ        毛穴
Ｈｂ        バリヤ
Ｈｃ        皮膚
Ｈｄ        毛細血管
【図１】
0005728690.tif 000002
【図２】
0005728690.tif 000003
【図３−１】
0005728690.tif 000004
【図３−２】
0005728690.tif 000005
【図４】
0005728690.tif 000006
【図５】
0005728690.tif 000007
【図６】
0005728690.tif 000008
【図７】
0005728690.tif 000009
【図８】
0005728690.tif 000010
【図９】
0005728690.tif 000011